(57)【特許請求の範囲】
【請求項１】
プラグを収容するための円柱状の嵌合空間が形成された絶縁ハウジングと、
この絶縁ハウジング内に固定される２個以上の接続端子と、を備えたジャックコネクタであって、
前記接続端子は前記ハウジングと係合する固定部と、前記プラグと電気的に接続する接続部と、基板とはんだで実装されるリード部と、を備え、
前記嵌合空間の一方の半円弧側を形成するハウジング下部に、前記固定部と、前記リード部とを備え、前記リード部は実装時はんだで基板に固定されるとともに、前記ハウジング下部に前記プラグ挿入方向に直交する横方向に並ぶようにして配置され、
前記固定部は前記横方向に並ぶようにして配置され、且つ前記横方向に直交する上下方向に階層的に配置されるところに特徴を有するジャックコネクタ。
【請求項２】
前記リード部は先端が細くなった実装部を備えるところに特徴を有する請求項１記載のジャックコネクタ。
【発明の詳細な説明】
【技術分野】
【０００１】
本発明は、ジャックコネクタに関し、詳しくは、薄型のジャックコネクタに関する。
【背景技術】
【０００２】
携帯電話等の携帯機器の小型化、薄型化の要求は高い。従来のＡＶ（Ａｕｄｉｏ  Ｖｉｓｕａｌ）ジャックコネクタは、特許文献１に記載されているように、小型化を考慮する際、接続端子の変位量を少なくしたり、或いは変位量を無くした接続端子構造をとったりするものがある。このような構造にすることによって、接続端子の変位空間を節約しジャックコネクタの小型化を目指すものである。
しかし、このように接続端子の変位量を少なくしたり、無くしたりすることでジャックコネクタの小型化、薄型化を図ることは、プラグの挿抜が繰り返されることによる接触部の消耗を早めることとなる。これにより、接続信頼性の低下を招くものである。
【先行技術文献】
【特許文献】
【０００３】
【特許文献１】特開２００８−３４３２０号公報
【発明の概要】
【発明が解決しようとする課題】
【０００４】
本発明は、上記事情に鑑みてなされたものであって、接続端子の変位量を少なくしたり、無くしたりすることなく、必要な接続端子の変位量が確保されたハウジング構造によって搭載機器の小型化、薄型化に寄与可能なジャックコネクタを提供することを目的とする。
さらに、本発明の別の目的は、上記したジャックコネクタの接続端子構造を提供することである。
【課題を解決するための手段】
【０００５】
上記課題を解決するため、本発明のジャックコネクタは、（１）プラグを収容するための円柱状の嵌合空間が形成された絶縁ハウジングと、この絶縁ハウジング内に固定される２個以上の接続端子と、を備えたジャックコネクタであって、前記接続端子は前記ハウジングと係合する固定部と、前記プラグと電気的に接続する接続部と、基板とはんだで実装されるリード部と、を備え、前記嵌合空間の一方の半円弧側を形成するハウジング下部に、前記固定部と、前記リード部とを備え、前記リード部は実装時はんだで基板に固定されるとともに、前記ハウジング下部に前記プラグ挿入方向に直交する横方向に並ぶようにして配置され、前記固定部は前記横方向に並ぶようにして配置され、且つ前記横方向に直交する上下方向に階層的に配置されるところに特徴を有するものである。
【０００６】
この発明によれば、前記嵌合空間の一方の半円弧側を形成するハウジング下部に、接続端子の固定部、リード部が集中して備わっている。この半円弧側をハウジングの下部、反対側を上部とすれば、これによって、ハウジングは下部以外の、たとえば上部、左右側部の構造をシンプルにすることが可能になる。ハウジングの断面形状が方形の場合、嵌合空間である中央の円形に対して下部は、接続端子の固定部を保持するための構造や、接続端子の弾性的変位のための空間を確保するために厚みを増すことになるが、その結果、他の三方は、それら構造や空間を備える必要がなくなる。すなわち、他の三方の薄肉化が可能になる。また、接続部も下部に備えてよく、これによって接続部は、長手方向（嵌合方向）の延びを規制するものがほかになく、十分な接続長の確保が可能になり、かつ、上下方向の深みのある変位空間の確保も容易になる。その結果、上述した作用は一層充実することになる。
したがって、残り三方の内対向する左右側部同士が、たとえばジャックコネクタが搭載される携帯電話の厚み方向に向かう時には、搭載機器の小型化、薄型化に寄与可能な必要
な変位量が確保されたジャックコネクタが提供されることになる。
【０００８】
この発明によれば、接続端子が複数個になったとき、接続端子は、その固定部が横方向に並んでハウジング下部に配置され、さらに増えると、上下方向に階層的に配置される。これによって、ハウジング下部に固定部を保持する構造や、変位空間がさらに必要になるが、ハウジングの幅方向（左右方向）は薄くできる。これによって、接続端子が増えた場合でも下部以外の残り三方の構造に変更は生じない。
したがって、搭載機器の小型化、薄型化に寄与可能な必要な変位量が確保されたジャックコネクタが提供される。
【００１０】
この発明によれば、実装時リード部が基板面に並ぶので、下部以外の３方の構造になんら変化はなく、基板実装後においても基板の厚みを含めたジャックコネクタの薄型化が達成されるものである。したがって、搭載機器たとえば携帯電話の薄型化を可能にするジャックコネクタが提供される。
【００１１】
さらに好ましくは、本発明のジャックコネクタは、（２）前記リード部は先端が細くなった実装部を備えるところに特徴を有する（１）記載のものである。
【００１２】
この発明によれば、リード部は先端が細くなった実装部を備えているので、実装時のはんだフィレットを考慮に入れた、実装面積、特に配列方向である横幅の軽減が可能になる。これによって、実装状態までも考慮に入れた幅方向の小型化を可能にするジャックコネクタが提供される。
【図面の簡単な説明】
【００１３】
【図１】図１は、本発明の実施形態に係るジャックコネクタの構造が示される下面透視図である。
【図２】図２は、同ジャックコネクタの構造が示される側面透視図である。
【図３】図３は、同ジャックコネクタの構造が示される正面図である。
【図４】図４は、同ジャックコネクタのハウジングの平面図、正面図、側面図である。
【図５】図５は、同ジャックコネクタのハウジングと接続端子との組み付けを示す工程図である。
【図６】図６は、同ジャックコネクタにプラグが挿入された状態が示される側面透視図である。
【図７】図７は、同ジャックコネクタの端子構造の外観斜視図である。
【図８】図８は、同ジャックコネクタの第１接続端子の外観斜視図である。
【図９】図９は、同ジャックコネクタの第２接続端子の外観斜視図である。
【図１０】図１０は、同ジャックコネクタの第３接続端子の外観斜視図である。
【図１１】図１１は、同ジャックコネクタの第４接続端子の外観斜視図である。
【図１２】図１２は、同ジャックコネクタの第１スウィッチ端子の外観斜視図である。
【図１３】図１３は、同ジャックコネクタの第２スウィッチ端子の外観斜視図である。
【図１４】図１４は、同ジャックコネクタにＦＰＣが実装された状態が示される外観斜視図である。
【図１５】図１５は、図１４の状態をジャックコネクタの上方向から視た外観斜視図である。
【図１６】図１６は、同ジャックコネクタが携帯電話機に搭載された状態が示される模式図であって、（Ａ）は、正面図であり、（Ｂ）は斜視図である。
【図１７】図１７は、同ジャックコネクタのリード部の外観図であって、（Ａ）は、リード部のパターン図であり、（Ｂ）は、はんだフィレットが形成された状態を示すパターン図である
【図１８】図１８は、図１７のリード部を示す斜視図であって、（Ａ）は、基板に載置された状態を示すパターン図であり、（Ｂ）は、はんだフィレットが形成された状態を示すパターン図である。
【発明を実施するための形態】
【００１４】
本発明の実施形態を添付図面に基づいて説明するが、本発明の技術的範囲は、これらの実施形態によって限定されるものではなく、発明の要旨を逸脱しない範囲で実施することができる。図１は、本発明の実施形態に係るジャックコネクタの構造が示される下面透視図である。図２は、本発明の実施形態に係るジャックコネクタの構造が示される側面透視図である。図３は、本発明の実施形態に係るジャックコネクタの構造が示される正面図である。図４は、本発明の実施形態に係るジャックコネクタのハウジングの平面図、正面図、側面図である。
なお、説明中指示方向を明確にするために方向を定義すれば、図１、図２に示されるように、紙面向かって右側が前、反対側が後、上側が上、反対側が下、及び図３に示されるように、紙面に向かって右側が右、反対側が左である。以下、特に方向の定義がない場合は、この定義に従う。
なお、特許請求の範囲で使用する用語と、発明を実施するための形態で使用する用語の対応関係について示しておくと、特許請求の範囲で用いる下部、上部、左右側部は、発明を実施するための形態で用いる下壁、上壁、左右側壁に対応する。
【００１５】
〔ジャックコネクタ構造〕
本実施形態のジャックコネクタ１は、図１から図４に示されるように、プラグＰと接続する４個の金属製の接続端子４０、５０、６０、７０、及び２個のスウィッチ端子、８０、９０、これら端子を保持し、プラグＰと嵌合する合成樹脂製の絶縁ハウジング１０を備えている。
【００１６】
〔ハウジング〕
ハウジング１０は、図４に示されるように、両端が開口された断面略矩形の筒状体である。ハウジング１０は、周囲四面が上壁１１、左右側壁１２、１３、及び下壁１４で囲われている。ハウジング１０は、前後面１５、１６に開口部１７、１８を有している。開口部１７、１８は、嵌合空間１９につながっている。嵌合空間１９は、断面略円形で、後方から前方に向かって順番（１９ｃ、１９ｂ、１９ａの順番）に径が小さくなっている。このように、ハウジング１０内周面は、挿入される円柱構造を基本とするプラグＰの形状に合わせて構成されている。
【００１７】
〔上壁〕
上壁１１は、図３、図４に示されるように、嵌合空間１９の上部を画成する壁で曲面構造を有する。上壁１１は、左右方向に亘って円弧の一部を構成し厚みをほぼ一定に保つとともに、前後方向に亘っても嵌合空間１９の形状変化に即した形状をとることでほぼ一定の厚みを保っている。上壁１１は、ハウジング１０の強度を保つために十分な厚みを有している。上壁１１の前半分は、平坦面が形成され、組み立て装置上で真空チャック方式の使用が可能である。
【００１８】
〔側壁〕
側壁１２、１３は、図４に示されるように、嵌合空間１９の左右側部を構成する壁である。左右側壁１２、１３は、ハウジング１０の左右側面に備わり、ほぼ対称構造である。左右側壁１２、１３は、前後方向に亘ってほぼ一定の厚みを保っている。左右側壁１２、１３は、ハウジング１０の強度を保つために十分な厚みを有している。左右側壁の外面は特別な構造物がなく平坦である。
【００１９】
〔下壁〕
下壁１４は、図１から図４に示されるように、嵌合空間１９の下部を構成する壁である。下壁１４は、接続端子４０、５０、６０、７０、及びスウィッチ端子８０、９０を保持するための構造と、これら端子が機能するための空間とを備えている。下壁１４は、接続端子４０、５０、６０、７０、及びスウィッチ端子８０、９０が固定される保持部２０、２１、２２、２３、２４、２５、接続端子４０、５０、６０、７０が弾性的変位するための変位空間２６、及びスウィッチ端子８０、９０が作動するための作動空間２７を備えている。下壁１４は、このように保持部２０、２１、２２、２３、２４、２５の構造や変位空間２６、作動空間２７に必要なスペースを要するので、上壁１１や左右側壁１２、１３に比べて内部の構造は複雑である。そのために、下壁１４は、上下方向に厚みを増すが、その分左右方向（幅方向）の厚みは必要最小限度に制限可能である。
【００２０】
〔保持部、変位空間〕
下壁１４の内側には、図４に示されるように、接続端子４０、５０、６０、７０の保持部２０、２１、２２、２３、及びスウィッチ端子８０、９０の保持部２４、２５が形成されている。これら保持部２０、２１、２２、２３、２４、２５は、一段に２個が並列配置されていて、この構造が上下方向に階層的に３段備わっている。保持部２０、２１、２２、２３、２４、２５は、接続端子４０、５０、６０、７０、及びスウィッチ端子８０、９０の板状の固定部４５、５５、６５、７５、８５、９５の両縁が圧入される一対の溝部２０ａ、２１ａ、２２ａ、２３ａ、２４ａ、２５ａを備えている。保持部２０、２１、２２、２３、２４、２５は、ハウジング１０の下壁１４前方に備わっている。
【００２１】
保持部２０、２１、２２、２３、２４、２５の後方、すなわちハウジング１０の中央から後方にかけては、図２に示されるように、接続端子４０、５０、６０、７０の変位空間２６が形成されている。変位空間２６は、プラグＰが挿入される嵌合空間１９の下方に連なっている。変位空間２６は、接続端子４０、５０、６０、７０の接続部４１、５１、６１、７１が挿入されたプラグＰによって外向きに弾性変位するための空間である。
【００２２】
変位空間２６の前方、すなわち保持部２０、２１、２２、２３、２４、２５の上方には、スウィッチ端子８０、９０の作動空間２７が備わっている。ここで簡単にスウィッチについて説明すると、スウィッチは、２個のスウィッチ端子８０、９０で構成されている。挿入されたプラグＰが第２スウィッチ端子９０に当たり、この当たりによって第２スウィッチ端子９０が下向きに変位して第１スウィッチ端子８０に接触する。この接触によって回路が閉じてスウィッチが入る仕組みである。スウィッチの切断は、プラグＰが引き抜かれて接触が断たれて回路が開かれた状態である。作動空間２７は、嵌合空間１９の下方に連なっている。
このように、ハウジング１０の下壁１４には、接続端子４０、５０、６０、７０、及びスウィッチ端子８０、９０が保持され、その機能を発揮するために必要な構造が集中して備わっている。このように、下壁１４に構造が集中して備わることによって、その分上壁１１、及び左右側壁１２、１３の薄肉化が可能になっている。
【００２３】
〔接続端子〕
次に、接続端子について、図面を参照しながら説明する。図７は、本発明の実施形態に係るジャックコネクタの端子構造の外観斜視図である。図８は、本発明の実施形態に係るジャックコネクタの第１接続端子の外観斜視図である。図９は、本発明の実施形態に係るジャックコネクタの第２接続端子の外観斜視図である。図１０は、本発明の実施形態に係るジャックコネクタの第３接続端子の外観斜視図である。図１１は、本発明の実施形態に係るジャックコネクタの第４接続端子の外観斜視図である。図１２は、本発明の実施形態に係るジャックコネクタの第１スウィッチ端子の外観斜視図である。図１３は、本発明の実施形態に係るジャックコネクタの第２スウィッチ端子の外観斜視図である。
【００２４】
第１接続端子４０は、図８に示されるように、金属板状体の形抜き、曲げ加工等によって形成される。接続端子４０は、銅合金の母材表面が金メッキ処理された、導電性、耐食性に優れた材料である。接続端子４０は、ハウジング１０に保持される固定部４５、プラグＰに電気的に接続する接続部４１、及び基板１００にはんだ実装されるリード部４７を備えている。
【００２５】
〔第１接続端子〕
第１接続端子４０の固定部４５は、図８に示されるように、ほぼ一定の幅で長手方向に延びる平面視矩形の板状体である。接続部４１は、プラグＰ本体に弾接して電気的接点を形成する。接続部４１は、固定部４５の前端から長手方向に沿って後方に延びる漸次縮幅する弾性片である。接続部４１は、緩やかなカーブを描いて斜め上方に向かい、端部に屈曲部４２を形成する。屈曲部４２は、その頂点周囲に凸部４３を備えている。
【００２６】
第１接続端子４０のリード部４７は、図８に示されるように、固定部４５の前端から長手方向に沿って前方に延びる板状片である。リード部４７は、一段低い面にその実装部４８が位置するように、穏やかな屈曲部を形成して斜め下方に向かう。リード部４７の先端は、水平面に並行に延びその下面は平坦である。リード部４７の先端は、細幅の実装部４８を備えている。実装部４８は、基板１００面に形成されたパターン１０１と、はんだによって電気的機械的に接続される。
【００２７】
〔第２接続端子〕
第２接続端子５０は、図９に示されるように、板状銅合金の成形加工体で、表面が金メッキ処理されている。接続端子５０は、固定部５５、接続部５１、リード部５７を備えている。固定部５５は、長手方向に延びる平面視矩形の板状体である。接続部５１は、固定部５５の後端から長手方向に沿って延びる弾性片であって、プラグＰ本体に弾接して電気的接点を形成する。接続部５１は、緩やかなカーブを描いて斜め上方に向かい、先端に屈曲部５２を形成している。屈曲部５２は、その頂点周囲に凸部５３を備えている。
リード部５７は、固定部５５の前端から長手方向に沿って延びる板状体である。リード部５７は、先端に細幅の実装部５８を備えている。リード部５７は、一段低い面にその実装部５８が位置するように、穏やかな屈曲部を形成して斜め下方に向かう。実装部５８は、水平面と並行に延びる板状体であり、基板１００に形成されたパターン１０１と、はんだによって電気的機械的に接続される。
【００２８】
〔第３接続端子〕
第３接続端子６０は、図１０に示されるように、板状銅合金の成形加工体で、表面が金メッキ処理されている。接続端子６０は、固定部６５、接続部６１、リード部６７を備えている。固定部６５は、長手方向に延びる平面視矩形の板状体である。接続部６１は、固定部６５の後端から長手方向に沿って延びる弾性片であって、プラグＰ本体に弾接して電気的接点を形成する。接続部６１は、緩やかなカーブを描いて斜め上方に向かい、先端に屈曲部６２を形成している。屈曲部６２は、その頂点周囲に凸部６３を備えている。
リード部６７は、固定部６５の前端から長手方向に沿って延びる板状体である。リード
部６７は、先端に細幅の実装部６８を備えている。リード部６７は、一段低い面にその実装部６８が位置するように、穏やかな屈曲部を形成して斜め下方に向かう。実装部６８は、水平面と並行に延びる板状体であり、基板１００に形成されたパターン１０１と、はんだによって電気的機械的に接続される。
【００２９】
〔第４接続端子〕
第４接続端子７０は、図１１に示されるように、板状銅合金の成形加工体で、表面が金メッキ処理されている。接続端子７０は、固定部７５、接続部７１、リード部７７を備えている。固定部７５は、長手方向に延びる圧入部を両端に備える板状体である。接続部７１は、固定部７５の後端から斜め上方向に延びる弾性片であって、プラグＰ本体に弾接して電気的接点を形成する。
リード部７７は、固定部７５の前端から下方向に延びる細幅の板状体である。リード部７７は、先端にさらに細幅の実装部７８を備えている。リード部７７は、一段低い面にその実装部７８が位置するように、屈曲部を形成して斜め下方に向かう。実装部７８は、水平面と並行に延びる板状体であり、基板１００面に形成されたパターン１０１と、はんだによって電気的機械的に接続される。
【００３０】
〔第２スウィッチ端子〕
第２スウィッチ端子９０は、図１２に示されるように、板状銅合金の成形加工体で、表面が金メッキ処理されている。接続端子９０は、固定部９５、接続部９１、リード部９７を備えている。固定部９５は、長手方向に延びる圧入部を両端に備える板状体である。接続部９１は、固定部９５の後端から延びる弾性片である。
リード部９７は、固定部９５の前端から下方向に延びる細幅の板状体である。リード部９７は、先端にさらに細幅の実装部９８を備えている。リード部９７は、一段低い面にその実装部９８が位置するように、屈曲部を形成して斜め下方に向かう。実装部９８は、水平面と並行に延びる板状体であり、基板１００に形成されたパターン１０１と、はんだによって電気的機械的に接続される。
【００３１】
〔第１スウィッチ端子〕
第１スウィッチ端子８０は、図１３に示されるように、板状銅合金の成形加工体で、表面が金メッキ処理されている。接続端子８０は、固定部８５、接続部８１、リード部８７を備えている。固定部８５は、長手方向に延びる圧入部を両端に備える板状体である。接続部８１は、固定部８５の後端から延びる弾性片である。
リード部８７は、固定部８５の前端から下方向に延びる細幅の板状体である。リード部８７は、先端にさらに細幅の実装部８８を備えている。リード部８７は、一段低い面にその実装部８８が位置するように、屈曲部を形成して斜め下方に向かう。実装部８８は、水平面と並行に延びる板状体であり、基板１００面に形成されたパターン１０１と、はんだによって電気的機械的に接続される。
【００３２】
〔接続端子のハウジングへの組み付け〕
接続端子４０、５０、６０、７０、及びスウィッチ端子８０、９０のハウジング１０への組み付けについて、図面を参照しながら説明する。図５は、本発明の実施形態に係るジャックコネクタのハウジングと接続端子との組み付けが示された工程図である。
【００３３】
接続端子４０、５０、６０、７０の組み付けは、図５に示されるように、ハウジング１０の前面１５の開口部１８を通しておこなわれる。プラグＰの基端側に接続する全長が長い接続端子から、プラグＰの先端側に接続する全長が短い接続端子の順に組み付けられる。すなわち、第１から第４接続端子４０、５０、６０、７０の順に組み付けられる。最後にスウィッチ端子８０、９０が組み付けられる。組み付けによる固定は、圧入方式である。
【００３４】
プラグＰの基端側にある第１領域Ｐ１に接続する第１接続端子４０は、下壁１４の下段の保持部２０で保持される。プラグＰの中間部にある第２領域Ｐ２に接続する第２接続端子５０は、下壁１４の下段の保持部２１で保持される。プラグＰの中間部にある第３領域Ｐ３に接続する接続端子６０は、下壁１４の中段の保持部２２で保持される。プラグＰの先端部にある第４領域Ｐ４に接続する接続端子７０は、下壁１４の上段の保持部２３で保持される。
【００３５】
接続端子４０、５０、６０、７０のハウジング１０への固定は、接続端子４０、５０、６０、７０の板状の固定部４５、５５、６５、７５がハウジング１０の保持部２０、２１、２２、２３の溝部２０ａ、２１ａ、２２ａ、２３ａに圧入されることによっておこなわれる。保持部２０、２１、２２、２３に形成された圧入溝に、板状の固定部の両縁を圧入して固定する。接続端子４０、５０、６０、７０の固定部４５、５５、６５、７５がハウジング１０の保持部２０、２１、２２、２３に保持されると、接続部４１、５１、６１、７１は、変位空間２６に収まり、リード部４７、５７、６７、７７は、ハウジング１０前面から前方に延出する。スウィッチ端子８０、９０の固定部８５、９５がハウジング１０の保持部２４、２５に保持されると、接続部８１、９１は作動空間２７に収まり、リード部８７、９７はハウジング１０の前面１５から前方に延出する。
【００３６】
〔ハウジング内の接続端子構造〕
ハウジング内の接続端子、スウィッチ端子の組み付け構造について、図面を参照しながら説明する。図６は、本発明の実施形態に係るジャックコネクタにプラグが挿入された状態が示される側面透視図である。
接続端子４０、５０、６０、７０、及びスウィッチ端子８０、９０は、図２、図３に示されるように、２列、３段の階層構造で組み付けられている。このように、接続端子４０、５０、６０、７０、及びスウィッチ端子８０、９０の保持構造、及び変位空間２６、作動空間２７のスペース全てがハウジング１０の下壁１４に集まっている。これによって、下壁１４の構造が複雑になり上下方向の厚みは増すことになるが、下壁１４にこれらが集中する分左右側壁１２、１３、及び上壁１１の構造がシンプルになっている。特に左右側壁１２、１３の外面は、平坦である。
【００３７】
接続端子４０、５０、６０、７０、及びスウィッチ端子８０、９０の固定部４５、５５、６５、７５、８５、９５は、図３、図６に示されるように、間隔を設けて並置され、かつ、上下に段差を設けて積層されている。これにより、相互に接触箇所は生じない。
第１接続端子４０は、最も全長が長い端子で、下段で保持されている。第１接続端子４０は、ハウジング１０の後面１６近くまで延びて、プラグＰの基端側の第１領域Ｐ１に弾接する。第１接続端子４０の接続部４１の変位空間２６は、図２、図６に示されるように、強い押圧力が発揮されるべく大きく確保されている。
【００３８】
第２接続端子５０は、図３、図６に示されるように、次に全長が長い端子で、下段で第１接続端子４０と並んで保持されている。第２接続端子５０は、プラグＰの第２領域Ｐ２に弾接する。
第３接続端子６０は、３番目に全長が長い端子で、中段で保持されている。第３接続端子６０は、プラグＰの第３領域Ｐ３に弾接する。
第４接続端子７０は、最も全長が短い端子で、上段で保持されている。第４接続端子７０は、プラグＰの第４領域Ｐ４である先頭部に弾接する。
第２から第４接続端子５０、６０、７０の接続部の変位空間２６は、図２、図６に示されるように、強い押圧力が発揮されるべく大きく確保されている。
【００３９】
接続部４１、５１、６１、７１は、屈曲部４２、５２、６２、７２の凸部４３、５３、
６３、７３がプラグＰ側に向けて配置されている。接続部４１、５１、６１、７１は、上下方向に弾性変位可能な弾性片である。接続部４１、５１、６１、７１は、図２、図６に示されるように、十分な変位空間２６が形成されている。
【００４０】
スウィッチ端子８０、９０は、図２、図６に示されるように、短かな一組の端子で、協働してスウィッチ機能を果たす。スウィッチ端子８０、９０は、２個が上下に並んで上段と、中段とで保持されている。第２スウィッチ端子９０は、プラグＰの先頭部（第４領域Ｐ４）に弾接する。スウィッチ端子８０、９０の接続部８１、９１が変位可能なように、その周囲には作動空間２７が形成されている。
【００４１】
〔リード部〕
第１から第４接続端子４０、５０、６０、７０、及びスウィッチ端子８０、９０のリード部４７、５７、６７、７７、８７、９７は、図４に示されるように、ハウジング１０の前面１５から前方に延出して左右一列に配置されている。これより、リード部について、図面を参照しながら説明する。図１７は、本発明の実施形態に係るジャックコネクタのリード部の外観図であって、（Ａ）は、リード部のパターン図であり、（Ｂ）は、はんだフィレットが形成された状態を示すパターン図である。図１８は、図１７のリード部を示す斜視図であって、（Ａ）は、基板に載置された状態を示すパターン図であり、（Ｂ）は、はんだフィレットが形成された状態を示すパターン図である。
【００４２】
リード部４７、５７、６７、７７、８７、９７は、図３、図１７、図１８に示されるように、下段、上段、中段に保持された端子順に左右外側から中央に向かって一列に配置されている。リード部４７、５７、６７、７７、８７、９７は、先端にはんだで実装される実装部４８、５８、６８、７８、８８、９８を備えている。リード部４７、５７、６７、７７、８７、９７の実装部４８、５８、６８、７８、８８、９８は、図１７、図１８に示されるように、先端が細くなっている。これは、はんだフィレットの形成を想定して、フィレットが形成されても隣接リードに接触することなく、ハウジング１０の全幅内に全リード部４７、５７、６７、７７、８７、９７を収めるために有効な構造である。
実装部４８、５８、６８、７８、８８、９８下面は、ハウジング１０下壁１４下面とほぼ同じ面上にある。実装部４８、５８、６８、７８、８８、９８下面は、平坦である。
【００４３】
〔嵌合〕
プラグとジャックコネクタとの嵌合について、図面を参照しながら説明する。図６は、本発明の実施形態に係るジャックコネクタにプラグが挿入された状態が示される側面透視図である。
プラグＰは、図３、図６に示されるように、ジャックコネクタ１の後面１６の開口部１７から嵌合空間１９に挿入される。正規嵌合位置までプラグＰが挿入されると、図６に示されるように、第１接続端子４０の接続部４１は、プラグＰの第１領域Ｐ１に弾接し、第２接続端子５０の接続部５１は、第２領域Ｐ２に弾接し、第３接続端子６０の接続部６１は、第３領域Ｐ３に弾接し、第４接続端子７０の接続部７１は、第４領域Ｐ４に弾接する。プラグＰの各領域間は、リング状の絶縁樹脂によって電気的に分離されている。
【００４４】
第１から第４接続端子４０、５０、６０、７０の接続部４１、５１、６１、７１は、十分な長さを有すとともに、ハウジング１０の下壁１４に深く形成された変位空間２６によって、豊かな弾性変位量が確保されている。これによって、繰り返し持続可能な弾接的押圧力が発生可能で、その結果、信頼性の高い接続構造が獲得されている。
スウィッチ端子８０、９０は、プラグＰの先端部（第４領域Ｐ４）に弾接する。第２スウィッチ端子９０が変位して第１スウィッチ端子８０に接触する。これによって、検知回路が閉じてプラグＰの挿入状態が検知される。プラグＰが抜かれると検知回路が開き、プラグの抜去状態が検知される。
【００４５】
〔効果〕
下壁に接続端子の保持構造や変位空間等が集中することで、ハウジング左右方向（幅方向）の薄型化が可能である。
接続端子を階層方式で保持することによって、接続端子の下壁集中が可能になり、これにより、接続端子の弾性変位量の十分な確保を可能にするとともに、ジャックコネクタの小型化を可能にしている。
リード部を下壁に揃えることで、基板実装が容易になる。
リード部は実装部が細いので、リード部全幅がハウジングの幅内に収まり、これにより、基板実装状態も含めた機器の小型化を可能にする。
【００４６】
〔別の実施形態  携帯電話に実装〕
本発明のジャックコネクタを携帯電話に搭載する場合の他の実施形態について、図面を参照しつつ説明する。図１４は、本発明の実施形態に係るジャックコネクタにＦＰＣが実装された状態が示される外観斜視図である。図１５は、図１４の状態をジャックコネクタの上方向から視た外観斜視図である。図１６は、本発明の実施形態に係るジャックコネクタが携帯電話機に搭載された状態が示される模式図である。
【００４７】
ジャックコネクタ１は、図１４、図１５に示されるように、下壁１４にＦＰＣ１００が実装される。ＦＰＣ１００は、略矩形状で、幅は、ジャックコネクタ１の幅とほぼ同じである。長手方向には、実装時ジャックコネクタ１の前面１５から前方に僅かに張り出し部が備わっている。この張り出し部は、接続端子４０、５０、６０、７０、及びスウィッチ端子７０、８０のリード部４７、５７、６７、７７、８７、９７の実装部４８、５８、６８、７８、８８、９８に接続するパターン１０１が形成されている。パターン１０１は矩形で、実装部４８、５８、６８、７８、８８、９８の幅に比べてやや大きめの幅を有している。
【００４８】
ＦＰＣ１００の長手方向後方には、コの字の切り欠きがある。この切り欠きは、ハウジング１０の下壁１４に備わる位置決め用の凸状の台座部に係合するところである。ジャックコネクタ１は、図１６に示されるように、携帯電話１１０の厚み方向に対して、幅方向が向かうようにして搭載される。上述したように、ハウジング１０の幅方向は薄型化されていて、携帯電話１１０のケース厚みの薄型化に対して障害になるものはない。上壁１１の外側面が、携帯電話１１０ケースの内側面に沿うようにして、ジャックコネクタ１は、ケース端部に横向きに載置される。この姿勢で下壁１４は、携帯電話１１０の内側に向いている。下壁１４に接続するＦＰＣ１００は、縁部で曲げられてケース内部にある回路（図示されていない）に向かっている。
【００４９】
〔効果〕
接続端子を下壁に集中配置し、リード部先端を細幅とすることで、実装形態も含めてジャックコネクタの薄型化が可能である。
ジャックコネクタの幅方向を携帯機器のケースの厚み方向に沿わせて配置することで、携帯機器のケース厚みが薄くできる。
【００５０】
〔原理〕
本発明は、携帯機器の小型化に寄与可能な、特に薄型化に効果の大きいジャックコネクタを提供するものである。ジャックコネクタとしての性能や信頼性が損なわれることがないように、接続端子の弾性長や弾性変位量が十分に確保された接続端子を備えることを条件として、ジャックコネクタの小型化、薄型化を図るものである。
下壁に接続端子を保持するための構造やそれらが作動する変位空間を集中的に備えることで、他の三方の薄型化を可能にするとともに、リード部を下壁に集めて実装面を一面だ
けとすることで、基板厚みが携帯機器の薄型化に影響しないようにする。これらの方策を実施することによって上記課題を解決するものである。
【００５１】
〈その他の実施形態〉
以上、本発明を実施形態に基づいて説明したが、本発明は、上述した実施形態、他の実施形態に限られるものではなく、発明思想の範囲内で種々の変更が可能である。
【符号の説明】
【００５２】
１            ジャックコネクタ
１０          ハウジング
１１          上壁
１２、１３    側壁
１４          下壁
１５          前面
１６          後面
１７、１８    開口部
１９          嵌合空間
１９ａ、１９ｂ、１９ｃ
２０、２１、２２、２３、２４、２５    保持部
２６          変位空間
４０          第１接続端子
５０          第２接続端子
６０          第３接続端子
７０          第４接続端子
８０          第１スウィッチ端子
９０          第２スウィッチ端子
１００        基板
１１０        携帯電話
Ｐ            プラグ
【図１】
0005896513.tif 000002
【図２】
0005896513.tif 000003
【図３】
0005896513.tif 000004
【図４】
0005896513.tif 000005
【図５】
0005896513.tif 000006
【図６】
0005896513.tif 000007
【図７】
0005896513.tif 000008
【図８】
0005896513.tif 000009
【図９】
0005896513.tif 000010
【図１０】
0005896513.tif 000011
【図１１】
0005896513.tif 000012
【図１２】
0005896513.tif 000013
【図１３】
0005896513.tif 000014
【図１４】
0005896513.tif 000015
【図１５】
0005896513.tif 000016
【図１６】
0005896513.tif 000017
【図１７】
0005896513.tif 000018
【図１８】
0005896513.tif 000019